(57)【要約】【課題】光伝送路を介して供給された電力によって情報収集および情報伝送を行ない、消費電力の低減を図り、情報収集タイミングおよび情報伝送タイミングを柔軟に設定し、かつ給電側の機器の簡易化を図る。【解決手段】受電装置１０１は、光伝送路Ｆ１を介して給電装置１０２から給電光を受ける受電装置であって、給電光を電力に変換して出力する光電変換部６と、光電変換部６から受けた電力を蓄える第１の蓄電部１と、第１の蓄電部１によって蓄えられている電力により、情報を収集する情報収集部７と、情報収集部７によって収集された情報を記憶する記憶部８と、記憶部８によって記憶されている情報を他の装置へ伝送する情報伝送部１１とを備え、情報収集部７は、受電装置１０１が給電装置１０２から給電光を受けている状態から受けていない状態に遷移すると情報の収集を行なう。【選択図】図１
2010011339.tif 000002
【特許請求の範囲】
【請求項１】
光伝送路を介して給電装置から給電光を受ける受電装置であって、
前記給電光を電力に変換して出力する光電変換部と、
前記光電変換部から受けた電力を蓄える第１の蓄電部と、
前記第１の蓄電部によって蓄えられている電力により、情報を収集する情報収集部と、
前記情報収集部によって収集された情報を記憶する記憶部と、
前記記憶部によって記憶されている情報を他の装置へ伝送する情報伝送部とを備え、
前記情報収集部は、前記受電装置が前記給電装置から前記給電光を受けている状態から受けていない状態に遷移すると情報の収集を行なう受電装置。
【請求項２】
前記受電装置は、さらに、
前記光電変換部から受けた電力を蓄える第２の蓄電部と、
前記光電変換部から受けた電力を前記第１の蓄電部へ出力するか前記第２の蓄電部へ出力するかを切り替えるスイッチとを備え、
前記情報伝送部は、前記第２の蓄電部によって蓄えられている電力により、前記記憶部によって記憶されている情報を他の装置へ伝送する請求項１に記載の受電装置。
【請求項３】
前記情報伝送部は、前記第２の蓄電部によって蓄えられている電力により、前記記憶部によって記憶されている情報を前記光伝送路を介して前記給電装置へ出力する請求項２に記載の受電装置。
【請求項４】
前記スイッチは、前記第１の蓄電部が満充電されると、前記光電変換部から受けた電力を前記第２の蓄電部へ出力する請求項２に記載の受電装置。
【請求項５】
前記情報収集部は、前記受電装置が前記給電装置から第１の所定時間以上前記給電光を受けている状態から受けていない状態に遷移すると情報の収集を行ない、
前記情報伝送部は、前記受電装置が前記給電装置から前記給電光を受けている状態から受けていない状態への遷移が前記第１の所定時間より短い第２の所定時間において第１の所定回数発生すると、前記記憶部によって記憶されている情報を他の装置へ伝送する請求項１に記載の受電装置。
【請求項６】
前記情報伝送部は、
前記受電装置が前記給電装置から前記給電光を受けている状態から受けていない状態への遷移が前記第２の所定時間において第２の所定回数発生すると、前記記憶部によって記憶されている情報の他の装置への伝送を停止する請求項５に記載の受電装置。
【請求項７】
光伝送路を介して給電光を送る給電装置と、
前記給電装置から前記光伝送路を介して前記給電光を受ける受電装置とを備え、
前記受電装置は、
前記給電光を電力に変換して出力する光電変換部と、
前記光電変換部から受けた電力を蓄える第１の蓄電部と、
前記第１の蓄電部によって蓄えられている電力により、情報を収集する情報収集部と、
前記情報収集部によって収集された情報を記憶する記憶部と、
前記記憶部によって記憶されている情報を他の装置へ伝送する情報伝送部とを含み、
前記情報収集部は、前記受電装置が前記給電装置から前記給電光を受けている状態から受けていない状態に遷移すると情報の収集を行なう光給電／情報伝送システム。
【請求項８】
給電装置が、光伝送路を介して給電光を送るステップと、
受電装置が、前記光伝送路を介して給電光を受けるステップと、
受電装置が、前記給電光を電力に変換するステップと、
受電装置が、前記変換した電力を蓄えるステップと、
受電装置が、前記給電装置から前記給電光を受けている状態から受けていない状態に遷移すると、前記蓄えている電力により、情報を収集するステップと、
受電装置が、前記収集した情報を記憶するステップと、
受電装置が、前記収集した情報を他の装置へ伝送するステップとを含む光給電／情報伝送方法。
【発明の詳細な説明】
【技術分野】
【０００１】
本発明は、受電装置、光給電／情報伝送システムおよび光給電／情報伝送方法に関し、特に、光伝送路を介して供給された電力によって情報収集および情報伝送を行なう受電装置、光給電／情報伝送システムおよび光給電／情報伝送方法に関する。
【背景技術】
【０００２】
光ファイバ給電は、高温および高電圧等、特殊環境に設置された機器へ安定かつ安全な電力供給を可能とすることから、センシングなど様々な利活用が期待される技術である。
【０００３】
この光ファイバ給電に関して、たとえば、特許文献１には、以下のような光パワー給電における異常検出方法および光パワー給電装置が開示されている。すなわち、光パワー給電装置は、光パワーを発生する本体機、該光パワーを伝送する光ファイバケーブルおよび該光ファイバケーブルで伝送された光パワーを電力に変換する子機を備える。本体機に備えられた光源から発せられた光を子機に伝送し、光パワーを伝送する光ファイバと同一のケーブル中に収容された別の光ファイバを通して本体機に戻し、本体機に戻った光の異常の有無を検出する。子機側では、制御信号用光ファイバをループ状に構成する方法、反射器を用いる方法、または光パワーを一部分離する方法により、制御信号光を本体機に戻す。
【０００４】
また、特許文献２には、以下のような無給電方式の測定装置が開示されている。すなわち、太陽電池と、該太陽電池の出力電圧を蓄積し、所定の電圧にして出力する電源回路と、該電源回路からの出力電圧を低下させる手段を通じて常時動作電圧が供給される給電制御回路と、被測定物の情報を検出する情報検知手段と、給電制御回路からの給電によって動作する情報測定回路と、該情報測定回路からの出力信号によって発光素子を駆動するドライブ回路と、該発光素子から出力される光信号を測定用負荷に伝送する光伝送手段とを備える。給電制御回路から情報測定回路に所定の周期でごく短時間だけ動作電圧を給電し、該動作電圧が給電されている時間だけ、情報測定回路から被測定物の情報に対応するパルス信号を出力させて発光素子を点滅させ、該点滅光信号を光伝送手段を通じて測定用負荷に伝送する。
【特許文献１】特開平１１−２３０８５６号公報
【特許文献２】特開平６−１２４３９６号公報
【発明の開示】
【発明が解決しようとする課題】
【０００５】
特許文献１記載の光パワー給電における異常検出方法および光パワー給電装置は、伝送される光の異常を検出する構成である。特許文献１記載の構成では、特殊環境に設置された遠方機器へ光ファイバを介して給電し、かつこの遠方機器において何らかの情報収集を行なう場合、異常が発生しない限り遠方機器へ常に光パワーが供給されるため、消費電力を低減することができない。
【０００６】
また、特許文献２記載の無給電方式の測定装置では、動作電圧を給電している期間だけ情報収集および情報伝送が行なわれるため、情報収集タイミングおよび情報伝送タイミングを柔軟に設定することができない。また、情報収集および情報伝送を行なう間、受電側の機器を動作させるための電力を一時に供給する必要があるため、送電側である程度大きな電力を生成する必要があり、給電側の機器が大型化し、コストが増大してしまう。
【０００７】
それゆえに、本発明の目的は、光伝送路を介して供給された電力によって情報収集および情報伝送を行ない、消費電力の低減を図り、情報収集タイミングおよび情報伝送タイミングを柔軟に設定し、かつ給電側の機器の簡易化を図ることが可能な受電装置、光給電／情報伝送システムおよび光給電／情報伝送方法を提供することである。
【課題を解決するための手段】
【０００８】
上記課題を解決するために、この発明のある局面に係わる受電装置は、光伝送路を介して給電装置から給電光を受ける受電装置であって、給電光を電力に変換して出力する光電変換部と、光電変換部から受けた電力を蓄える第１の蓄電部と、第１の蓄電部によって蓄えられている電力により、情報を収集する情報収集部と、情報収集部によって収集された情報を記憶する記憶部と、記憶部によって記憶されている情報を他の装置へ伝送する情報伝送部とを備え、情報収集部は、受電装置が給電装置から給電光を受けている状態から受けていない状態に遷移すると情報の収集を行なう。
【０００９】
好ましくは、受電装置は、さらに、光電変換部から受けた電力を蓄える第２の蓄電部と、光電変換部から受けた電力を第１の蓄電部へ出力するか第２の蓄電部へ出力するかを切り替えるスイッチとを備え、情報伝送部は、第２の蓄電部によって蓄えられている電力により、記憶部によって記憶されている情報を他の装置へ伝送する。
【００１０】
より好ましくは、情報伝送部は、第２の蓄電部によって蓄えられている電力により、記憶部によって記憶されている情報を光伝送路を介して給電装置へ出力する。
【００１１】
より好ましくは、スイッチは、第１の蓄電部が満充電されると、光電変換部から受けた電力を第２の蓄電部へ出力する。
【００１２】
好ましくは、情報収集部は、受電装置が給電装置から第１の所定時間以上給電光を受けている状態から受けていない状態に遷移すると情報の収集を行ない、情報伝送部は、受電装置が給電装置から給電光を受けている状態から受けていない状態への遷移が第１の所定時間より短い第２の所定時間において第１の所定回数発生すると、記憶部によって記憶されている情報を他の装置へ伝送する。
【００１３】
より好ましくは、情報伝送部は、受電装置が給電装置から給電光を受けている状態から受けていない状態への遷移が第２の所定時間において第２の所定回数発生すると、記憶部によって記憶されている情報の他の装置への伝送を停止する。
【００１４】
上記課題を解決するために、この発明のある局面に係わる光給電／情報伝送方法は、光伝送路を介して給電光を送る給電装置と、給電装置から光伝送路を介して給電光を受ける受電装置とを備え、受電装置は、給電光を電力に変換して出力する光電変換部と、光電変換部から受けた電力を蓄える第１の蓄電部と、第１の蓄電部によって蓄えられている電力により、情報を収集する情報収集部と、情報収集部によって収集された情報を記憶する記憶部と、記憶部によって記憶されている情報を他の装置へ伝送する情報伝送部とを含み、情報収集部は、受電装置が給電装置から給電光を受けている状態から受けていない状態に遷移すると情報の収集を行なう。
【００１５】
上記課題を解決するために、この発明のある局面に係わる光給電／情報伝送システムは、給電装置が、光伝送路を介して給電光を送るステップと、受電装置が、光伝送路を介して給電光を受けるステップと、受電装置が、給電光を電力に変換するステップと、受電装置が、変換した電力を蓄えるステップと、受電装置が、給電装置から給電光を受けている状態から受けていない状態に遷移すると、蓄えている電力により、情報を収集するステップと、受電装置が、収集した情報を記憶するステップと、受電装置が、収集した情報を他の装置へ伝送するステップとを含む。
【発明の効果】
【００１６】
本発明によれば、光伝送路を介して供給された電力によって情報収集および情報伝送を行ない、消費電力の低減を図り、情報収集タイミングおよび情報伝送タイミングを柔軟に設定し、かつ給電側の機器の簡易化を図ることができる。
【発明を実施するための最良の形態】
【００１７】
以下、本発明の実施の形態について図面を用いて説明する。なお、図中同一または相当部分には同一符号を付してその説明は繰り返さない。
【００１８】
［構成および基本動作］
図１は、本発明の実施の形態に係る光給電／情報伝送システムの構成を示す図である。
【００１９】
図１を参照して、光給電／情報伝送システム２０１は、受電装置１０１と、給電装置１０２とを備える。受電装置１０１は、測定記録部５１と、光伝送部５２と、スイッチ３と、モニタ４と、スイッチ制御部５と、光／電気変換器６と、タップ１０とを備える。測定記録部５１は、蓄電池１と、センサ（情報収集部）７と、メモリ８と、モニタ９とを含む。光伝送部５２は、蓄電池２と、データ転送用光送受信器（情報伝送部）１１とを含む。給電装置１０２は、光源制御部２１と、光源２２と、データ転送用光送受信器２３とを含む。
【００２０】
たとえば、給電装置１０２は光ファイバの近端に配置され、受電装置１０１は光ファイバの遠端に配置されている。給電装置１０２は、光ファイバＦ１を介して受電装置１０１へ給電光を送る。受電装置１０１は、高温および高電圧等、特殊環境に設置されており、給電装置１０２から光ファイバＦ１を介して給電光を受ける。
【００２１】
給電装置１０２において、光源２２は、光源制御部２１から受けた制御信号に基づいて給電光を発生し、光ファイバＦ１へ出力する。
【００２２】
受電装置１０１において、光／電気変換器６は、光ファイバＦ１から受けた給電光を電力に変換して出力する。
【００２３】
タップ１０は、光／電気変換器６から受けた電力を分岐してスイッチ３およびモニタ４へ出力する。
【００２４】
モニタ４は、タップ１０から受けた電力を監視し、監視結果をスイッチ制御部５へ通知する。モニタ９は、蓄電地１の充電量を監視し、監視結果をスイッチ制御部５へ通知する。
【００２５】
スイッチ３は、タップ１０を介して光／電気変換器６から受けた電力を蓄電地１へ出力するか蓄電地２へ出力するかを切り替える。
【００２６】
蓄電地１および蓄電地２は、それぞれスイッチ３を介して光／電気変換器６から受けた電力を蓄える。
【００２７】
センサ７は、蓄電地１によって蓄えられている電力により動作し、情報を収集する。センサ７は、たとえばカメラであり、測定対象を撮影し、撮影した画像をメモリ８へ出力する。
【００２８】
メモリ８は、センサ７から受けた情報を記憶する。
データ転送用光送受信器１１は、蓄電地２によって蓄えられている電力により動作し、メモリ８によって記憶されている情報を光信号に変換し、この光信号を光ファイバＦ２経由で給電装置１０２へ出力する。
【００２９】
給電装置１０２において、データ転送用光送受信器２３は、受電装置１０１におけるデータ転送用光送受信器１１によって伝送された情報を光ファイバＦ２を介して受ける。
【００３０】
［動作］
次に、本発明の実施の形態に係る光給電／情報伝送システムの動作について説明する。
【００３１】
図２は、本発明の実施の形態に係る光給電／情報伝送システムの概略動作手順を定めたフローチャートである。
【００３２】
図２を参照して、まず、給電装置１０２は、光ファイバＦ１を介して給電光を送る（ステップＳ１）。
【００３３】
受電装置１０１は、光ファイバＦ１を介して給電光を受ける（ステップＳ２）。
次に、受電装置１０１は、給電光を電力に変換する（ステップＳ３）。
【００３４】
次に、受電装置１０１は、変換した電力を蓄える（ステップＳ４）。
受電装置１０１は、給電装置１０２が給電光の伝送を停止していない場合、すなわち給電装置１０２から給電光を受けている場合には（ステップＳ５でＮＯ）、給電光の受電、給電光の電力変換および蓄電を繰り返し行なう（ステップＳ２〜Ｓ４）。
【００３５】
そして、受電装置１０１は、給電装置１０２が給電光の伝送を停止した場合、すなわち給電装置１０２から給電光を受けている状態から受けていない状態に遷移すると（ステップＳ５でＹＥＳ）、蓄えている電力により、情報を収集する（ステップＳ６）。
【００３６】
次に、受電装置１０１は、収集した情報を記憶する（ステップＳ７）。
次に、受電装置１０１は、給電装置１０２から後述する制御光を受けると、収集した情報を光ファイバＦ２を介して給電装置１０２へ伝送する（ステップＳ８）。
【００３７】
図３は、本発明の実施の形態に係る受電装置の動作を示す状態遷移図である。
図３を参照して、待機状態（状態ＳＴ１）において、給電装置１０２は、受電装置１０１への給電光の出力を停止している。
【００３８】
受電装置１０１は、レーザーなどの給電光の伝送が開始されると、蓄電地１を充電する（状態ＳＴ２）。より詳細には、スイッチ制御部５は、モニタ４から通知された監視結果により、受電装置１０１が給電装置１０２から給電光を受けていることを認識する。そして、スイッチ制御部５は、スイッチ３を制御することにより、光／電気変換器６によって変換された電力を蓄電地１へ出力する。
【００３９】
また、状態ＳＴ２において、受電装置１０１は、蓄電地１が満充電されると、蓄電池２を充電する（状態ＳＴ３）。より詳細には、スイッチ制御部５は、モニタ９から通知された監視結果により、蓄電地１が満充電されたことを認識する。そして、スイッチ制御部５は、スイッチ３を制御することにより、光／電気変換器６によって変換された電力を蓄電地２へ出力する。
【００４０】
状態ＳＴ２およびＳＴ３において、受電装置１０１は、給電光の伝送が停止されると、蓄電地１に蓄えられた電力により、測定記録部５１を起動して測定を行ない、測定結果を記憶する（状態ＳＴ４）。より詳細には、スイッチ制御部５は、モニタ４から通知された監視結果により、受電装置１０１が給電装置１０２から給電光を受けていないことを認識し、センサ７へ制御信号を出力する。そして、センサ７は、スイッチ制御部５から制御信号を受けて、蓄電地１によって蓄えられている電力によって測定を開始し、情報を収集してメモリ８へ出力する。メモリ８は、センサ７から受けた情報を記憶する。
【００４１】
ここで、給電装置１０２は、蓄電池１の充電時、受電装置１０１へ給電光の伝送を開始してから所定時間経過後に給電光の伝送を停止するが、この所定時間は、センサ７の１回の情報収集動作に必要な電力が蓄電池１に蓄えられるために十分な時間、たとえば１００秒が設定される。
【００４２】
そして、受電装置１０１は、測定が終了すると、待機状態へ戻る（状態ＳＴ１）。
また、待機状態（状態ＳＴ１）において、受電装置１０１は、給電装置１０２から所定の制御光たとえばレーザーパルス信号を受けると、蓄電池２に蓄えられている電力により、測定結果を光ファイバＦ２を介して給電装置１０２へ出力する（状態ＳＴ５）。より詳細には、スイッチ制御部５は、モニタ４から通知された監視結果により、給電装置１０２から所定のレーザーパルス信号を受けたことを認識する。たとえば、スイッチ制御部５は、受電装置１０１が給電装置１０２から給電光を受けている状態から受けていない状態への遷移が１０秒間に２回発生したことを認識し、データ転送用光送受信器１１へ制御信号を出力する。そして、データ転送用光送受信器１１は、スイッチ制御部５から制御信号を受けて、メモリ８によって記憶されている情報を光ファイバＦ２へ出力する。
【００４３】
ここで、給電装置１０２は、所定の制御光をたとえば１ヶ月に１回受電装置１０１へ送る。
【００４４】
そして、データ転送状態（状態ＳＴ５）において、受電装置１０１は、給電装置１０２から所定の制御光たとえばレーザーパルス信号を受けると、待機状態へ戻る（状態ＳＴ１）。より詳細には、スイッチ制御部５は、受電装置１０１が給電装置１０２から給電光を受けている状態から受けていない状態への遷移がたとえば１０秒間に３回発生したことを認識し、データ転送用光送受信器１１へ制御信号を出力する。データ転送用光送受信器１１は、スイッチ制御部５から制御信号を受けて、メモリ８によって記憶されている情報の光ファイバＦ２への出力を停止する。
【００４５】
ここで、給電装置１０２は、上記のようにたとえば給電光をオン・オフすることによりレーザーパルス信号を生成する。より詳細には、光源制御部２１は、たとえばタイマを用いることにより、光源２２を制御して所定周期かつ所定幅のレーザーパルス信号を生成する。
【００４６】
なお、スイッチ制御部５は、待機状態（状態ＳＴ１）からデータ転送状態（状態ＳＴ５）へ遷移してから所定時間経過した場合、すなわちデータ転送用光送受信器１１が情報伝送動作を開始してから所定時間経過した場合には、待機状態（状態ＳＴ１）に戻す、すなわちデータ転送用光送受信器１１の情報伝送動作を停止する制御を行なう構成であってもよい。あるいは、データ転送用光送受信器１１が、メモリ８によって記憶されているすべての情報を光ファイバＦ２へ出力すると、自立的に動作を停止する構成であってもよい。このような構成により、受電装置１０１の情報伝送動作を停止させるためのレーザーパルス信号が何らかの原因で給電装置１０２から出力されない場合、および受電装置１０１の情報伝送動作を停止させるためのレーザーパルス信号を受信したことを受電装置１０１側で認識できなかった場合に、蓄電池２の蓄電量が低下したり、過放電によって蓄電池２の寿命が短くなったりすることを防ぐことができる。
【００４７】
以上のように、本発明の実施の形態に係る受電装置１０１では、測定記録部５１および光伝送部５２の起動および停止を、給電光のオン・オフによって制御する。このような構成により、近端の給電装置１０２からの制御によって遠端の受電装置１０１における測定を間欠的に実施することができ、かつ必要に応じて測定結果を受電装置１０１から給電装置１０２へ転送することができる。これにより、制御機能が近端に設けられ、遠端の制御は近端からの給電光で実施されるため、遠端における装置を常時稼動させる必要がなくなり、消費電力を低減することができる。また、遠端における装置を簡素化することができる。また、制御機能を近端に設けることができるため、設定等の変更および測定データの回収を容易に行なうことができる。すなわち、情報収集タイミングおよび情報伝送タイミングを柔軟に設定することができる。
【００４８】
また、受電装置１０１では、蓄電池１が設けられ、センサ７は、蓄電地１によって蓄えられている電力により動作し、情報を収集する。このような構成により、センサ７を動作させるための電力を給電装置１０２から一時に供給する必要がない。また、受電装置１０１では、蓄電池２が設けられ、データ転送用光送受信器１１は、蓄電地２によって蓄えられている電力により動作し、メモリ８によって記憶されている情報を光ファイバＦ２を介して給電装置１０２へ出力する。このような構成により、データ転送用光送受信器１１を動作させるための電力を給電装置１０２から一時に供給する必要がない。
【００４９】
たとえば、給電装置１０２から受電装置１０１へ大電力を供給するために、光ファイバＦ１を複数本設け、給電装置１０２において光源２２を複数個設ける必要がなくなるため、給電装置１０２の大型化およびコスト増大を防ぐことができる。
【００５０】
また、センサ７によって収集された情報をメモリ８に蓄え、蓄えられた複数の情報をデータ転送用光送受信器１１がまとめて伝送することにより、センサ７によって情報が収集されるたびに給電装置１０２へ情報を伝送する必要がなくなり、情報伝送タイミングを柔軟に設定することができる。また、データ転送用光送受信器１１の消費電力を低減することができる。
【００５１】
また、受電装置１０１では、蓄電池１および蓄電池２が別個に設けられ、スイッチ３が、光／電気変換器６から受けた電力を蓄電地１へ出力するか蓄電地２へ出力するかを切り替える。すなわち、動作周期の異なるセンサ７およびデータ転送用光送受信器１１への電力供給を２つの蓄電池で行なう。このような構成により、蓄電池の用途に応じて蓄電池の放電特性を最適化することができる。
【００５２】
なお、本発明の実施の形態に係る受電装置では、データ転送用光送受信器１１は、メモリ８によって記憶されている情報を光ファイバＦ２を介して給電装置１０２へ伝送する構成であるとしたが、これに限定するものではない。データ転送用光送受信器１１は、収集された情報を給電装置１０１とは別の装置へ伝送する構成であってもよい。また、光伝送路以外の通信経路を用いて情報を伝送する構成であってもよい。
【００５３】
また、本発明の実施の形態に係る受電装置では、状態ＳＴ２およびＳＴ３において、受電装置１０１は、給電光の伝送が停止されると、蓄電地１に蓄えられた電力により、測定記録部５１を起動して測定を行ない、測定結果を記憶する構成であるとしたが、これに限定するものではない。
【００５４】
図３における状態ＳＴ３から状態ＳＴ１への矢印で示したように、蓄電池１の充電を開始してから所定時間経過した場合、たとえば充電池１の充電時間である１００秒よりも十分長い時間（１０分、１時間等）が経過した場合には、給電光の伝送が停止されても、センサ７を起動せず、待機状態（ＳＴ１）へ遷移する構成であってもよい。あるいは、蓄電池１の充電開始後、給電光の伝送が停止される前に所定のレーザーパルス信号を給電装置１０２から受けた場合には、給電光の伝送が停止されても、センサ７を起動せず、待機状態（ＳＴ１）へ遷移する構成であってもよい。このような構成により、あらかじめ情報伝送が可能な状態にしておきたい、すなわち情報伝送に必要な電力を事前に蓄電池２に充電しておきたいが、センサ７をすぐには動作させたくない場合に対応することが可能となる。
【００５５】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００５６】
【図１】本発明の実施の形態に係る光給電／情報伝送システムの構成を示す図である。
【図２】本発明の実施の形態に係る光給電／情報伝送システムの概略動作手順を定めたフローチャートである。
【図３】本発明の実施の形態に係る受電装置の動作を示す状態遷移図である。
【符号の説明】
【００５７】
１，２  蓄電池、３  スイッチ、４  モニタ、５  スイッチ制御部、６  光／電気変換器、７  センサ（情報収集部）、８  メモリ、９  モニタ、１０  タップ、１１  データ転送用光送受信器（情報伝送部）、２１  光源制御部、２２  光源、２３  データ転送用光送受信器、５１  測定記録部、５２  光伝送部、１０１  受電装置、１０２  給電装置、２０１  光給電／情報伝送システム。
【図１】
2010011339.tif 000003
【図２】
2010011339.tif 000004
【図３】
2010011339.tif 000005